【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
排出アローアンス及びオフセットの参加者間における取引を促進する方法であって、
参加者に対して、該参加者が提供する排出情報に基づいて排出削減スケジュールを確立するステップと、
前記削減スケジュールを達成するために、参加者毎にデビット又はクレジットを決定するステップと
を備えており、
前記参加者は、自発的温室効果ガス（ＧＨＧ）排出削減者及び環境保護者を含んでいる
ことを特徴とする方法。
【請求項２】
請求項１記載の方法において、前記自発的ＧＨＧ排出削減者は産業団体を含み、環境保護者は非産業団体を含み、前記自発的ＧＨＧ排出削減者は、彼らのデビットの少なくとも一部を前記環境保護者から収得し、前記方法はさらに、前記参加者間で取引を行うステップを含んでいることを特徴とする方法。
【請求項３】
排出アローアンス及びオフセットの参加者間における取引を促進するためのコンピュータ・システムであって、
参加者に対して、該参加者が提供する排出情報に基づいて排出削減スケジュールを確立する手段と、
前記削減スケジュールを達成するために、参加者毎にデビット又はクレジットを決定する手段と
を備えており、
前記参加者は、自発的温室効果ガス（ＧＨＧ）排出削減者及び環境保護者を含んでいる
ことを特徴とするコンピュータ・システム。
【請求項４】
請求項３記載のコンピュータ・システムにおいて、前記参加者は自発的ＧＨＧ排出削減者であり、前記システムはさらに、排出情報又は環境保護者のアクティビティに基づいた排出削減量を表すデビット又はクレジットであって、各参加者が排出削減スケジュールを実行するために、参加者間でデビット又はクレジットの取引を行うことができるようにするための手段を備えていることを特徴とするコンピュータ・システム。
【請求項５】
エネルギ消費又はエネルギ節約のアクティビティ（活動）に基づいて、温室効果ガス（ＧＨＧ）の排出又は排出削減の等価値を計算する方法において、
エネルギ・アクティビティのタイプに関連しかつ選択可能なアクティビティ・ユニット（活動単位）に関連付けられたエネルギ消費又は節約アクティビティ特徴を提供するステップと、
選択されたアクティビティ・ユニットを有するアクティビティ・データを要求するステップと、
前記アクティビティ・データをＧＨＧ排出又はＧＨＧ排出削減の等価値に変換する関数を、前記エネルギ・アクティビティのタイプ及び前記選択されたアクティビティ・ユニットに基づいて決定するステップと、
前記関数に基づいて、ＧＨＧ排出及びＧＨＧ排出削減の一方の等価値であって、参加者間の取引を促進する標準値に従う等価値を計算するステップと
からなることを特徴とする方法。
【請求項６】
請求項５記載の方法において、前記関数は、エネルギ・アクティビティの地理的位置に関連しかつ選択可能な地理的位置に関連付けられた位置特性に少なくとも部分的に基づいていることを特徴とする方法。
【請求項７】
取引可能な温室効果ガス（ＧＨＧ）排出又は排出削減の等価値を生成することによって環境破壊を低減する方法において、
請求項５記載の方法によって第１の参加者についてのＧＨＧ排出の等価値を計算するステップと、
前記第１の参加者に、環境破壊を低減するために、前記計算されたＧＨＧ排出と少なくとも同等な量のＧＨＧ排出低減の等価値を獲得させるステップと
からなることを特徴とする方法。
【請求項８】
請求項７記載の方法において、前記第１の参加者は自発的ＧＨＧ排出低減者であり、前記第２の参加者は環境保護者であり、該方法はさらに、
エネルギ消費アクティビティに基づきかつ選択可能なアクティビティ・ユニットに関連付けられているアクティビティ・データを提供することによって、第２の参加者についてのＧＨＧ排出削減の等価値を計算するステップと、
前記アクティビティ・データを前記ＧＨＧ排出低減の等価値に変換するためのファクタであって、前記ＧＨＧ排出低減の等価値を計算するために、選択された前記エネルギ消費アクティビティ及び前記アクティビティ・ユニットに基づいているファクタを適用するステップと、
前記第１及び第２の参加者の間で、ＧＨＧ排出又はＧＨＧ排出低減の等価値を取り引きするステップと、
からなり、前記自発的ＧＨＧ排出低減者がＧＨＧ排出を低減することができるようにしたことを特徴とする方法。
【請求項９】
温室効果ガス（ＧＨＧ）排出又は排出低減の等価値を取り引きするためのマーケットを管理する方法において、サーバにおいて、
参加者から前記マーケットでの取引の要求を受け取るステップと、
前記要求に基づき、前記参加者に、取り引きしたいＧＨＧ排出又はＧＨＧ排出低減の等価値の量に関する情報を提供するよう要求するステップと、
前記参加者を登録して、前記マーケット上で前記ＧＨＧ排出又前記ＧＨＧ排出低減の等価値を取り引きされるようにするステップと、
からなることを特徴とする方法。
【請求項１０】
請求項９記載の方法において、該方法はさらに、前記サーバにおいて、
エネルギ消費又は節約に基づいていると共に前記選択されたアクティビティ・ユニットに関連するアクティビティ・データを前記参加者から受け取るステップと、
前記アクティビティ・データを前記ＧＨＧ排出低減の等価値に変換するためのファクタであって、前記ＧＨＧ排出又前記ＧＨＧ排出低減の等価値を計算するために、選択された前記エネルギ消費アクティビティ及び前記アクティビティ・ユニットに基づいているファクタを適用して、前記参加者の取り引きすべき前記ＧＨＧ排出又前記ＧＨＧ排出低減の等価値が正確であるかどうかを確認するステップと、
を備えていることを特徴とする方法。
【請求項１１】
温室効果ガス（ＧＨＧ）排出取引マーケットの生成、維持管理、及び稼働における基準を採用する方法において、
前記取引マーケットを、
アローアンス、オフセット、及び早期アクションクレジットの少なくとも１つを含む炭素ファイナンシャル手段を取引するため、
ベースライン排出情報及び含まれる設備のタイプを含む排出削減のため、
望ましいオフセット・プロジェクトのため、
単一ファーム・セール制限を含む取引上の制限のため、
年間の真実の手順のため、
排出及びプロジェクト量子化のため、及び
最大の許可されたセールのため
の基準を使用して確立し稼動するステップ
を含むことを特徴とする方法。
【請求項１２】
請求項１１記載の方法において、前記は移出削減はさらに、セクタによって変動する排出緩和スケジュール及び排出監視プロトコルを含み、前記望ましい排出情報は、ごみ処理オフセット、農業メタン・オフセット、森林オフセット、土壌オフセット、及び補償された排出削減の少なくとも１つを含んでいることを特徴とする方法。
【請求項１３】
コンピュータ・ネットワーク上で実行されるか又は手動で実行される電子的オークションであって前記オークションは、排出低減及び取引システムにおいて温室効果ガスの購入及び販売を行う電子的オークションにおいて、
オークション・リザーブ又はアローアンス・オフセットから受け取った温室効果ガス・アローアンスのオークション・プールと、
前記オークション・プールにおける温室効果ガスのための競売であって、ネットワークを介して電子的に又は手動で受け取られる競売と、
所定のパラメータに基づいて競売の勝者を決定するプロセッサであって、アローアンスの譲渡のために登録されたメンバ・アカウントにオークション結果を通信し、当該オークションに対する参加者の寄与に基づいて、該参加者への利益を返送するよう構成されているプロセッサと
からなることを特徴とするをオークション。
【請求項１４】
排出削減を促進するためのコンピュータによる方法において、
自発的に参加者を設定されたエンティティに登録するステップと、
数年以上の所定の期間にわたる排出削減スケジュールであって、登録された各参加者によって提供された過去の数年における排出情報に基づいて、登録された各参加者の排出削減スケジュールを画定するステップと、
排出アローアンス、排出オフセット。及びクレジットを含む取引可能な金融手段を画定するステップと、
前記画定された排出削減スケジュールに基づいて、登録された各参加者に対して、取引可能な排出アローアンスを発光するステップと、
前記所定の期間の年毎に、当落された各参加者の排出データを収集するステップと、
収集された排出データを、前記所定期間中の年毎の当該参加者の画定された排出削減スケジュールにおける対応するデータと対比する対比ステップと、
前記対比ステップでの結果に基づいて、登録された各参加者の前記所定期間中の年毎のデビット又はクレジットを決定する決定ステップと、
前記決定ステップでの決定に基づいて、登録された各参加者に、該参加者の年当たりの排出が前記画定された排出削減スケジュールにおけるデータを超過している場合に、取引可能な金融手段の量を請求して該参加者にペナルティを与え、該参加者は前記移出削減スケジュールに追従するための取引可能な金融手段の購入を要求されるステップと、
前記決定ステップでの決定に基づいて、登録された各参加者に、該参加者の年当たりの排出が前記画定された排出削減スケジュールにおけるデータよりも少ない場合に、取引可能な金融手段の量をクレジットして該参加者に報奨を与え、該参加者は取引可能な金融手段をトレード又は累積することができるようにするステップと、
からなることを特徴とする方法。
【請求項１５】
請求項１４記載の方法において、前記排出削減スケジュールを画定するステップは、実際の排出に基づいた排出削減ベースラインを生成するステップと、取引可能な金融手段を取得することによって、前記は移出削減スケジュールに見合う登録されたされた各参加者のっど有為を得るステップと、排出ファクタの変更が生じたときにそれに基づいて前記ベースラインを調整するステップとを含んでいることを特徴とする方法。
【請求項１６】
請求項１４記載の方法において、該方法は更に、登録された参加者が、前記画定された排出削減スケジュールに応じて排出削減を実現する排出データを適正に提供しているかどうかを確認するステップを含んでいることを特徴とする方法。
【請求項１７】
請求項１４記載の方法において、登録された参加者による酸化は、複数の国にまたがっており、取引はインターネット上で行われることを特徴とする方法。
【請求項１８】
請求項１４記載の方法において、前記は移出削減スケジュールは、これからの４年間について画定され、かつ、過去４年間の排出情報に基づいていることを特徴とする方法。